(57)【要約】【課題】粉末化粧料容器におけるレフィル容器の取り換え作業の際に手掛かりとなる摘みを、簡単な構成で、かつ、製造コストの上昇を殆ど招かないように、形成する。また、使用の際に、この摘みが外部に露呈しないようにし、化粧料容器としての体裁を損なわないようにする。【解決手段】上面が開口した容器本体１に、パウダー状の化粧料が充填されたレフィル容器２を着脱可能に取り付けるようにした化粧料容器において、底部２ａに設けられた開口２ｂから化粧料が充填され、上面の開放部分がシールで密封されるようにしたこのレフィル容器の前記開口の周囲に、取り換えの際の手掛かりとなるリング状の摘み２ｃを、底部と可撓部２ｄを介して連続するように、この底部と一体成形することにより、設けることとした。【選択図】図１
0003129312.tif 000002
【実用新案登録請求の範囲】
【請求項１】
上面が開口した容器本体と、パウダー状の化粧料が充填され前記容器本体内に着脱可能に取り付けられるレフィル容器とを具備した化粧料容器において、
上記レフィル容器は、上面の開放部分がシールで密封され、底部に化粧料充填用の開口が設けられたものであり、この開口の周囲には、レフィル容器取り換えの際の手掛かりとなるリング状の摘みが、底部と可撓部を介して連続するように、該底部と一体成形されることにより、設けられたことを特徴とする化粧料容器。
【考案の詳細な説明】
【技術分野】
【０００１】
本考案は、パウダー状の粉末化粧料が収納された容器を、レフィル容器として取り替え可能に構成された化粧料容器に関する。
【背景技術】
【０００２】
一般にこの種の化粧料容器は、粉末化粧料が充填されたレフィル容器を、中容器として容器本体内に嵌合させて使用するようになっている。従って、化粧料を使い終わった際には、この嵌合を外して中容器を容器本体から取り出す必要があった。
【０００３】
しかしながら、一般にこの種の化粧料容器は、外観体裁が重視されるため、中容器と容器本体が、隙間を生じないように緊密に嵌合されており、しかも使用の際に、中容器が不用意に脱落することがないよう、その嵌合はきつく設定されている。したがって、この嵌合を外すことが困難であり、特に爪を伸ばした女性の場合、その作業が一層行い難いという問題点があった。
【０００４】
そこで、この点を改善するために、従来は、中容器であるドラム体の周壁の上端の一部に、このドラム体を引き上げ操作する際の手掛かりとなる舌片状のドラム摘みを、一体に延出形成（例えば、特許文献１参照）したり、あるいは、中容器の底に先端が位置するように、中容器の内周壁に引き上げ操作用の手掛かりとなるリボンを一体的に固定（例えば、特許文献２参照）したりしていた。
【特許文献１】特開平１０−２８６１１６号公報（第２−３頁、図３）
【特許文献２】特開平１１−２０６４４２号公報（第２−３頁、図２）
【考案の開示】
【考案が解決しようとする課題】
【０００５】
上述した従来の化粧料容器のうち、前者のドラム体の周壁上端にドラム摘みを一体に延出形成したものは、この摘みが容器本体の外側に突出するため、見栄えが悪く、この種の化粧料容器としては、相応しくないという問題点があった。
【０００６】
また、後者の中容器の底面に位置するように、引上げ操作用のリボンを固定したものは、化粧料を使い終わるまで、リボンが外部に露呈しないため、容器の外観体裁は損なわれないものの、柔軟性を有するリボンを中容器に固定することが難しく、必要な強度を得るためには、中容器の周壁にリボンを挿通可能なスリットを設け、リボンを容器を貫通させてその外側で固定しなくてはならず、構成が複雑で、かつ、その組み立ての手間も要するという問題点を有していた。
【０００７】
本考案は、上記従来の化粧料容器が有していた問題点の解決を課題とする。
【課題を解決するための手段】
【０００８】
上記の問題点を解決するために、本考案では、上面が開口した容器本体と、パウダー状の化粧料が充填され、前記容器本体内に着脱可能に取り付けられるレフィル容器とを具備した化粧料容器において、上記レフィル容器を、上面の開放部分がシールで密封され、底部に化粧料充填用の開口が設けられたものとし、かつ、この開口の周囲には、レフィル容器取り換えの際の手掛かりとなるリング状の摘みが、底部と可撓部を介して連続するように、一体成形により設けたことを特徴とする。
【考案の効果】
【０００９】
上述したように本考案の化粧料容器では、レフィル容器を、上面の開放部分がシールで密封され、底部に化粧料充填用の開口が設けられたものとし、かつ、この開口の周囲には、レフィル容器取り換えの際の手掛かりとなるリング状の摘みを一体成形により設けることとしたので、製造が容易で、殆ど製造コストの上昇を招くことなく、レフィル容器の取換えが容易な化粧料容器の提供が可能となる。
【００１０】
しかも上記摘みは、容器の底部に位置しているので、通常は充填された化粧料で隠蔽されることとなり、取り換えが必要となる時まで、容器の外観体裁を損なうおそれがなく、見栄えの良い化粧料容器が提供できるという効果もある。
【考案を実施するための最良の形態】
【００１１】
以下、本考案を図示した実施の形態に基づき詳細に説明する。
【００１２】
図１は、本実施形態に係る化粧料容器の分解斜視図、図２は、その組立状態の斜視図である。また、図３はこの化粧料容器を構成したレフィル容器の裏面側の斜視図であり、図４は、このレフィル容器に化粧料を充填する状態を示した説明図である。
【００１３】
本考案の化粧料容器は、従来公知のものと同様に、上面が開放された容器本体１と、この容器本体１内に着脱可能に取り付けられるレフィル容器２と、このレフィル容器２と容器本体１の上面を塞ぐように取り付けられる蓋体（図示せず）とで構成されている。
【００１４】
上記レフィル容器２には、パウダー状の化粧料（図４に符号４で示す）が充填されており、化粧料４を使い終わった際に、この容器ごと取り替えられるようになっている。なお、図示していないが、このレフィル容器２には、その上面を塞ぐように凹状の内蓋が取り付けられたり、あるいは収納された化粧料を覆うようにネットが取り付けられており、これらで化粧料８が外部に漏洩することを防ぐようになっている。また、この内蓋やネット上には、図示しないパフが載置され、蓋体を容器本体１に係合させることにより、このパフは蓋体とレフィル容器２との間に形成される空間内に収納されるようになっている。
【００１５】
レフィル容器２は、図１並びに図３に示すように上面が開放され、底部２ａに開口２ｂが設けられたトレイ状のものであり、化粧料４を充填するには、図４に示すように、まずレフィル容器２の上面の開放部分を予めシール３で塞いでおき、この容器２をその上下を逆にして化粧料を供給するノズル５の下方に配置する。そして、この状態でノズル５から化粧料４を排出することにより、底部２ａに設けられた開口２ｂから容器２内に所定量の化粧料４を落下させることによりなされる。そして、このようにして容器２内に所定量の化粧料４を供給し終わると、この開口２ｂは、図示しない板材やシール材を、溶着または接着することにより塞がれるようになっており、この状態で詰め替え用のレフィル容器として販売流通するものである。
【００１６】
ここにおいて本考案では、上記レフィル容器２の底部２ａに設けられた開口２ｂの周囲に、一部を残して同心円状のスリット２ｇを形成し、底部２ａと可撓部２ｄを介して連続したリング状の摘み２ｃを、底部２ａに一体成形している。この摘み２ｃは、図３並びに図４に示すように、その裏面がレフィル容器２の裏側の表面からやや後退した位置になるように、底部２ａの厚みよりやや薄く形成されており、その裏面側（図３において上側）には、先端が底部２ａの裏面と面一になるように、複数の突起２ｆが設けられている。
【００１７】
したがって、上述したように、化粧料４の充填後、開口２ｂが板材やシール材で塞がれた際に、この突起２ｆの先端が、板材やシール材の表面と接し、摘み２ｃの下側に隙間を生じさせるようになっている。
【００１８】
また、このレフィル容器２の外周部分には、図３に示すように、複数の係合突起２ｅが設けられており、この係合突起２ｅが、容器本体１の内部に設けられた係止片１ａと係合することにより、レフィル容器２は、図２に示すように、容器本体１内に一体的に嵌め込まれ、収納保持されるようになっている。
【００１９】
上記の如く構成された化粧料容器を使用する際には、まずレフィル容器２の上面からシール３を剥し、このレフィル容器２に収納された化粧料４を図示しないパフに付着させ、取り出し、使用に供する。この時、摘み２ｃは、化粧料４で覆われており、外部に露呈することはない。そして、このようにして使用を継続し、化粧料を概ね消費すると、やがて底部２ａに設けられた摘み２ｃが現れるので、この摘み２ｃに指を掛け、引き上げると、合成樹脂製のレフィル容器２の底部２ａに一体成形された摘み２ｃは、図１に示すように可撓部２ｄから撓んで、引き起こされ、この状態からさらに摘み２ｃを引き上げると、やがて係合突起２ｅと係止片１ａとの係合が外れ、レフィル容器２が容器本体１から取り出されるものである。
【００２０】
よって、このようにして使用後のレフィル容器２を取り出した後、詰め替え用に別途、用意した新しいレフィル容器２を、容器本体１上から押し込めば、係合突起２ｅと係止片１ａが係合し、このレフィル容器２は、以前のものと同様に容器本体１内に一体的に係合保持される。
【００２１】
以上のようにして本考案の化粧料容器は、使用されるものである。
【００２２】
なお、上述した摘み２ｃを引き起こす操作の際、摘み２ｃは、その裏面に設けられた突起２ｆにより、開口２ｂを塞いだ板材やシール材との間に隙間が形成され、かつその裏面が全面的にこの板材やシール材と溶着したり接着することがないようになっているので、この隙間に指先を差し込み、摘み２ｃを容易に引き起こすことができる。
【００２３】
また、図示した実施の形態では、係止片１ａと係合突起２ｅの係合により、リフィル容器２が容器本体１に取り付けられるものを例示したが、リフィル容器２は着脱可能に容器本体１に取り付けられるものであれば良く、両面テープなどの接着手段、あるいはこの接着手段と係合手段を併用して容器本体１内に取り付けられるようになっていても良い。
【００２４】
また、このリフィル容器は、底部に化粧料充填用の開口が設けられたものであれば、本考案の要旨を変更しない範囲内でどのような形状のものであっても良いことは言うまでもない。
【図面の簡単な説明】
【００２５】
【図１】本考案の実施形態に係る化粧料容器の分解斜視図である
【図２】図１に示した化粧料容器の組立状態の斜視図である。
【図３】レフィル容器の裏面側の斜視図である。
【図４】レフィル容器に化粧料を充填する状態を示した説明図である。
【符号の説明】
【００２６】
１  容器本体
１ａ  係止片
２  レフィル容器
２ａ  底部
２ｂ  開口
２ｃ  摘み
２ｄ  可撓部
２ｅ  係合部
２ｆ  突起
２ｇ  スリット
３  シール
４  化粧料
５  ノズル
【図１】
0003129312.tif 000003
【図２】
0003129312.tif 000004
【図３】
0003129312.tif 000005
【図４】
0003129312.tif 000006